(57)【要約】【課題】テーブルを綴じた位置にロックさせている楔状のロックプレートを、大きな駆動力を要することなくテーブルとフレームの間から抜き出させるようにする。【解決手段】先端部にクリンチャ機構１１を形成したテーブル５をフレーム２に回動可能に支持させて設け、フレーム２に沿って摺動可能に支持させた一対のロックプレート１６ａ、１６ｂをテーブル５とフレーム２の間に挿入することによって、テーブル５のクリンチャ機構１１がステープル駆動部３から離反する方向へ回動することを阻止させるようにするとともに、ロックプレート１６ａ、１６ｂを駆動させる駆動カム２４ａ、２４ｂを各々のロックプレート１６ａ、１６ｂ毎に独立して設け、各々の駆動カム２４ａ、２４ｂによって両ロックプレート１６ａ、１６ｂをテーブル５とフレーム２の間から抜き出させる方向へ作動開始のタイミングをずらして設定した。【選択図】図２
2006095641.tif 000002
【特許請求の範囲】
【請求項１】
多数のステープルを収容するとともに該ステープルを綴じ用紙に向けて打ち出すステープル打出機構を形成したステープル駆動部と、先端部に前記ステープル駆動部から打ち出されて綴じ用紙を貫通したステープル脚を綴じ用紙の裏面に沿って折り曲げるクリンチャ機構を形成しているテーブルとを設けたステープラーにおいて、前記テーブルを該テーブルに形成されているクリンチャ機構が前記ステープル駆動部のステープル打ち出し位置と対向するようにテーブルの両側に一体に形成した側片を介してフレームに回動可能に支持させて設け、前記フレームに沿って摺動可能に支持させた一対のロックプレートを前記テーブルと前記フレームの間に挿入することによって、前記テーブルのクリンチャ機構がステープル駆動部から離反する方向へ回動することを阻止させるようにするとともに、前記ロックプレートを駆動させる駆動カムを各々のロックプレート毎に独立して設け、各々の駆動カムによって両ロックプレートをテーブルと前記フレームの間から抜き出させる方向への作動開始のタイミングをずらして設定したことを特徴とするステープラーのテーブルロック装置。
【発明の詳細な説明】
【技術分野】
【０００１】
本発明は、ステープル駆動部からコ字形に成形されたステープルを綴じ用紙に向けて打ち出して、綴じ用紙を貫通したステープル脚をステープル打出部と対向して配置されているクリンチャ機構によって綴じ用紙の裏面に沿って屈曲して綴じ用紙を綴るようにしたステープラーのテーブルロック装置に関する。
【背景技術】
【０００２】
一般的にこの種のステープラーは、多数のステープルを装填したカートリッジが装着されるとともに電動モータによって駆動されるドライバ等からなるステープル打出機構が形成されているステープル駆動部と、このステープル駆動部から打ち出されるステープル脚と対向して配置されるクリンチャ機構を保持しているテーブルによって構成されており、ステープル駆動部とテーブルとの間に配置された綴じ用紙に向けてステープル駆動部のステープル打出機構を駆動してカートリッジ内のステープルを綴じ用紙に向けて打ち出して、綴じ用紙を貫通したステープル脚をテーブルに保持されている前記クリンチャ機構と係合させることによって綴じ用紙の裏面側に沿わせて屈曲することによりステープル綴じを行うようにしている。
【０００３】
前端部でクリンチャ機構を保持している前記テーブルは、このテーブルの両側に一体に形成されている側片の後端部においてステープル駆動部のフレームに対して回動可能に支持されており、通常時にはクリンチャ機構がステープル駆動部の上面と離間されるように回動されており、綴じ用紙がクリンチャ機構とステープル駆動部との間に配置された後に、ステープル駆動部の上面との間で綴じ用紙を狭持するように回動作動される。このテーブルはステープル駆動部のステープル打出機構によって打ち出されるステープルの脚が綴じ用紙を貫通して、更にステープル脚がテーブルの先端部に形成されたクリンチャ機構により綴じ用紙の裏面に沿って折り曲げられる間に発生する綴じ荷重に対抗して綴じ用紙の下面側を通常８〜１０Ｋｇ程度の荷重で支えている必要がある。更に、綴じ用紙の厚さに応じて前記テーブルの作動ストロークが変動することから、カムやリンク機構等によって直接テーブルを回動駆動させることができず、カムやリンク機構にバネ力を介在させてテーブルを作動させるようにしている。しかしながら上記綴じ荷重を支えるためには大きな荷重のバネを必要とし、この大きなバネ荷重に抗してテーブルを作動させるために駆動機構自体が大きくなってコピー機等へ内蔵するステープラーの小型化を阻害する要因となっていた。
【０００４】
そこで、テーブルをステープル駆動部との間で綴じ用紙を狭持する方向に比較的弱い荷重のバネによってバネ付勢させ、このバネ付勢力によって回動作動させたテーブルの一部とフレームとの間に楔部材を嵌合させて、この楔部材によりテーブルをステープル駆動部の間で綴じ用紙を挟持した閉じ位置に固定させるようにしたテーブルのロック装置が既に提案されている。上記テーブルのロック装置は、後端部が本体ケースに回動支軸によって回動可能に支持されるとともに捩りコイルバネによって閉じ方向に回動付勢させたテーブルと、上記テーブルを開き方向に回動させるとともにこの開き位置に保持させておくための作動リンク、及び、前記テーブルが閉じ方向に作動したときにテーブルの一部と係合してテーブルの開き方向への回動を阻止させるように作用する楔部材とにより構成されている。
【特許文献１】特開２００１−１９１２６５号公報
【０００５】
上記機構では、ステープラーが作動される以前の通常持には、前記作動リンクをテーブルと一体に回動する固定軸と係合させてテーブルを開き位置に保持させておき、ステープル駆動部の上面に綴じ用紙が載置されてステープラーを作動させたときに、前記作動リンクがステープルを打ち出すステープル打出機構と連動して作動されて作動リンクを固定軸から離反させてテーブルを捩りコイルバネにより閉じ方向に回動作動させて、テーブルとステープル駆動部との間に配置された綴じ用紙を両者間で狭持させる。テーブルが綴じ用紙を狭持する方向に回動作動することに伴って前記楔部材がバネ力によってスライド移動して楔部材を前記テーブルと一体に回動する固定軸と係合させることによって、テーブルの開き方向への回動を阻止してテーブルを閉じ用紙を挟持した閉じ位置にロックさせるようにしている。
【発明の開示】
【発明が解決しようとする課題】
【０００６】
上記従来のテーブルロック装置では、テーブルの両側に一体に形成した両側片の後端部をフレームに回転自在に支持させるとともに、これらの側片に隣接して配置した一対の楔部材を前記側片を貫通させた固定軸と係合させることによってテーブルを閉じた位置にロックして綴じ用紙の挟持を行うようにしている。そして、ステープル綴じが完了した後に綴じ用紙をテーブルとステープル駆動部の間から排出するには、この左右一対の楔部材をロック状態のテーブルとフレームの間から抜き出してテーブルを開き方向に回動させる必要がある。この時に楔部材はテーブルとフレームの間にしっかりと嵌合されているため、楔部材をテーブルとフレームの間から抜き出させる際の初期荷重が極めて大きくなり、駆動用モータが停止してしまったり又は駆動用モータの電流が大きくなって発熱して駆動用モータを損傷してしまうという問題が発生した。
【０００７】
本発明は上記従来技術の欠点を解消し、綴じ用紙をステープル駆動部との間で挟持するようにテーブルを閉じた位置にロックさせている楔状のロックプレートを、大きな駆動力を要することなくテーブルとフレームの間から抜き出させるようにしたステープラーのテーブルロック装置を提供することを課題とする。
【課題を解決するための手段】
【０００８】
上記課題を解決するため、本発明に係るステープラーのテーブルロック装置は、多数のステープルを収容するとともに該ステープルを綴じ用紙に向けて打ち出すステープル打出機構を形成したステープル駆動部と、先端部に前記ステープル駆動部から打ち出されて綴じ用紙を貫通したステープル脚を綴じ用紙の裏面に沿って折り曲げるクリンチャ機構を形成しているテーブルとを設けたステープラーにおいて、前記テーブルを該テーブルに形成されているクリンチャ機構が前記ステープル駆動部のステープル打ち出し位置と対向するようにテーブルの両側に一体に形成した側片を介してフレームに回動可能に支持させて設け、前記フレームに沿って摺動可能に支持させた一対のロックプレートを前記テーブルと前記フレームの間に挿入することによって、前記テーブルのクリンチャ機構がステープル駆動部から離反する方向へ回動することを阻止させるようにするとともに、前記ロックプレートを駆動させる駆動カムを各々のロックプレート毎に独立して設け、各々の駆動カムによって両ロックプレートをテーブルと前記フレームの間から抜き出させる方向への作動開始のタイミングをずらして設定したことを特徴とする。
【発明の効果】
【０００９】
上述のように、本発明のステープラーのテーブルロック装置によれば、テーブルを該テーブルに形成されているクリンチャ機構が前記ステープル駆動部のステープル打ち出し位置と対向するようにテーブルの両側に一体に形成した側片を介してフレームに回動可能に支持させて設け、前記フレームに沿って摺動可能に支持させた一対のロックプレートを前記テーブルと前記フレームの間に挿入することによって、前記テーブルのクリンチャ機構がステープル駆動部から離反する方向へ回動することを阻止させるようにするとともに、前記ロックプレートを駆動させる駆動カムを各々のロックプレート毎に独立して設け、各々の駆動カムによって両ロックプレートをテーブルと前記フレームの間から抜き出させる方向への作動開始のタイミングをずらして設定しているので、左右のロックプレートがそれぞれ別々のタイミングでテーブルとフレームの間から抜き出し作動されるため、これらのロックプレートを抜き出し方向に駆動させる駆動カムとこの駆動カムを回転させる駆動シャフトの最大回転負荷を小さくすることができ、これにより電動モータの駆動電流を小さくでき電動モータから発生するノイズの低減、及び電動モータの回転数が増減することによる騒音の低減、更にこれらによって電動モータの小型化、低コスト化が可能となる。
【発明を実施するための最良の形態】
【００１０】
本発明は、綴じ用紙をステープル駆動部との間で挟持するようにテーブルを閉じた位置にロックさせている楔状のロックプレートを、大きな駆動力を要することなくテーブルとフレームの間から抜き出させるという目的を、クリンチャ機構を形成しているテーブルをテーブルの両側に一体に形成した側片を介してフレームに回動可能に支持させて設け、前記フレームに沿って摺動可能に支持させた一対のロックプレートを前記テーブルと前記フレームの間に挿入することによってテーブルの回動を阻止させるようにするとともに、前記ロックプレートを駆動させる駆動カムを各々のロックプレート毎に独立して設け、各々の駆動カムによって両ロックプレートをテーブルと前記フレームの間から抜き出させる方向への作動開始のタイミングをずらして設定することにより実現したものであり、より具体的な実施例を以下に説明する。
【実施例１】
【００１１】
図１は本発明に係るテーブルロック装置を実施したステープラーを示すもので、該ステープラー１は、多数の直状のステープル材を並列させて連結して構成されたシートステープルが装填されたステープルカートリッジが装着できるようにされたステープラー１の外郭を形成しているフレーム２が設けられており、このフレーム２の下部には前記ステープルカートリッジ内のシートステープルを順次ステープル駆動部へ向けて供給するステープル供給機構、ステープル駆動部に供給された直状のステープル材をコ字形のステープルに成形するステープル成形機構、及びコ字形に成形されたステープルを綴り用紙に向けて打ち出すステープル打出機構等から構成されているステープル駆動部３が形成されている。
【００１２】
更にフレーム２の上部には、前記ステープル駆動部３の上面４に配置された綴じ用紙をステープル駆動部３の上面４との間で狭持するように後端部において前記フレーム２に回動可能に支持されたテーブル５が設けられている。更に前記フレーム２には、前記ステープル供給機構、ステープル成形機構、ステープル打出機構及び前記テーブル５を駆動させるための駆動カム等を装着した駆動シャフト６が前記フレーム２を貫通して設けられている。該駆動シャフト６は前記フレーム２内に設けられているモータによって、フレーム２の側面に配置されている減速ギヤ７と前記駆動シャフト６に固定された駆動ギヤ８を介して回転駆動されるようにしている。
【００１３】
図２に示すように、前記テーブル５の両側には後方側に延びた側片９が一体に形成されており、この両側片９の後端部が前記フレーム２に支軸１０によって支持されており、テーブル５の前部が前記ステープル駆動部３の上面４に対して接近又は離反できるように前記支軸１０を中心として回動できるようにされている。更に、このテーブル５の前部には前記ステープル駆動部３から打ち出されるステープルの脚部と対向するように配置されたクリンチャ機構１１が形成されており、該クリンチャ機構１１によってステープル駆動部３のステープル打出機構によって打ち出されて綴じ用紙を貫通したステープル脚を綴じ用紙の裏面に沿って折り曲げるようにしている。前記テーブル５は図示していない付勢バネ等によって通常時に前記クリンチャ機構１１が前記ステープル駆動部３の上面４に接近する閉じ方向に回動付勢されている。
【００１４】
前記テーブル５の両側片９と隣接して支軸１３によってフレーム２に回転自在に支持されている回動レバー１２が設けられており、この回動レバー１２は初期状態に於いては図２に示す反時針回り方向に回動した位置に配置されており、この回動位置において回動レバー１２が前記テーブル５の両側片９の外側面に突出形成されている凸部１５と係合して、クリンチャ機構１１がステープル駆動機部３の上面４から離反する開き方向にテーブル５を支軸１０を中心として回動させ、この位置にテーブル５を保持させている。上記回動レバー１２は、外側方向に突出形成されている駆動ピン１４が前記駆動シャフト６に装着されている駆動カム（図示していない）と係合することによって前記支軸１３を中心として回動されるようにしており、ステープル綴じ作動の初期に時針回り方向に回動されて、これによって回動レバー１２が前記テーブルの凸部１５から離反してテーブル５を反時針回り方向へ回動可能にする。
【００１５】
更に、フレーム２には前記テーブル５の両側片９と隣接した状態でフレーム２に沿って摺動可能なロックプレート１６ａ、１６ｂが設けられている。該ロックプレート１６ａ、１６ｂに一体に形成されている凸部１７がフレーム２に形成されている長穴１８内に遊嵌されており、ロックプレート１６ａ、１６ｂはこの長穴１８に沿って摺動できるようにフレーム２に支持されている。前記回動レバー１２が時針回り方向に回動されてテーブル５が付勢バネの付勢力によって反時針回り方向へ回動した際に、このロックプレート１６ａ、１６ｂが前記長穴１８に沿って図中右方向へ摺動作動されて、ロックプレート１６ａ、１６ｂが前記テーブル５の両側片９に形成されている凸部１５の上方へ進入して凸部１５と係合することによってテーブル５が時針回り方向へ回動するのを阻止させるようにしている。
【００１６】
閉じ位置に回動したテーブル５のクリンチャ機構１１にステープル駆動部３から打ち出されて綴じ用紙を貫通したステープルの脚部が当接して、ステープル脚を屈曲させる綴じ荷重がテーブル５に作用してテーブル５を時針回り方向へ回動させようとする力が作用するが、ロックプレート１６ａ、１６ｂがテーブル５の両側片９に形成されている凸部１５の上方へ進入して凸部１５が上方へ回動するのを阻止し、これによってテーブル５が時針回り方向へ回動する動きを阻止する。このように、ロックプレート１６ａ、１６ｂをテーブル５の側片９に形成した凸部１５と係合させることによってテーブル５の回動をロックさせているので、クリンチャ機構１１に大きな綴じ荷重が生ずる場合でも確実にテーブル５を閉じ位置に保持させておくことができる。
【００１７】
上記一対のロックプレート１６ａ、１６ｂにはフレーム２に回動自在に支持されている作動レバー１９ａ、１９ｂがそれぞれ連係されており、この作動レバー１９ａ、１９ｂを介して前記ロックプレート１６ａ、１６ｂを前記凸部１５の上方へ進出した位置と該凸部１５の上方から退避した位置とへ摺動作動させるようにしている。作動レバー１９ａ、１９ｂは一端側に形成された支軸２０によってフレーム２に対して回動自在に支持されており、該作動レバー１９ａ、１６ｂの他端側に形成されている凹溝２１に前記ロックプレート１６ａ、１６ｂの後端側に一体に形成されている作動ピン２２が遊嵌されてロックプレート１６ａ、１６ｂと作動レバー１９ａ、１９ｂとが連係されている。作動レバー１９ａ、１９ｂが前記支軸２０を中心として時針回り方向に回動するときにロックプレート１６ａ、１６ｂが前記凸部１５の上方へ進出するように作動させ、作動レバー１９ａ、１９ｂが前記支軸２０を中心として反時針回り方向に回動するときにロックプレート１６ａ、１６ｂを前記凸部１５の上方から退避される後退位置へ作動させるようにしている。
【００１８】
前記作動レバー１９ａ、１９ｂの下端には作動レバー１９ａ、１９ｂを回動付勢させるバネ２３が各々設けられており、このバネ２３によって作動レバー１９ａ、１９ｂが時針回り方向へ回動付勢されており、これによって前記ロックプレート１６ａ、１６ｂを前記凸部１５の上方へ進出するように常時付勢させている。更に、上記一対の作動レバー１９ａ、１９ｂ毎にこれらの作動レバー１９ａ、１９ｂを回動させる駆動カム２４ａ、２４ｂが、各々の作動レバー１９ａ、１９ｂと対向させて設けられており、前記駆動シャフト６に装着されているこれらの駆動カム２４ａ、２４ｂを介して前記作動レバー１９ａ、１９ｂを反時針回り方向に回動させてロックプレート１６ａ、１６ｂを前記凸部１５の上方から退避した位置へ作動させるようにしている。各作動レバー１９ａ、１９ｂには前記駆動カム２４ａ、２４ｂに形成されているカム面２６ａ、２６ｂと係合する駆動ピン２５がそれぞれ形成されており、前記駆動カム２４ａ、２４ｂが駆動シャフト６により回転駆動されることによって作動レバー１９ａ、１９ｂを反時針回り方向に回動させて、これによって前記ロックプレート１６ａ、１６ｂを前記凸部１５の上方から退避される後退位置へ作動させるようにしている。
【００１９】
図３に示すように、前記作動レバー１９ａ、１９ｂの駆動ピン２５と係合して作動レバー１９ａ、１９ｂを回動作動させる駆動カム２４ａ、２４ｂには、テーブル５の側片９に形成されている凸部１５の上方から前記一対のロックプレート１６ａ、１６ｂをそれぞれ別々のタイミングで退避作動させるようにしたカム面２６ａ、２６ｂが形成されている。即ち、一方側のロックプレート１６ａと連係されている作動レバー１９ａを作動させる駆動カム２４ａのカム面２６ａが作動レバー１９ａの作動ピン２５と係合して作動レバー１９ａを反時針回り方向に回動させ始める時期を、他方側のロックプレート１６ｂと連係されている作動レバー１９ｂを作動させる駆動カム２４ｂのカム面２６ｂが作動レバー１９ｂの作動ピン２５と係合して作動レバー１９ｂを反時針回り方向に回動させ始める時期よりも速くなるように前記駆動カム２４ａ、２４ｂのそれぞれのカム面２６ａ、２６ｂを形成している。
【００２０】
このように、作動レバー１９ａ、１９ｂが作動開始されるタイミングがずらされるように駆動カム２４ａ、２４ｂの各々のカム面２６ａ、２６ｂを形成することによって、左右一対のロックプレート１６ａ、１６ｂがテーブル５とフレーム２との間から抜き出されるタイミングがずらされるため、左右のロックプレート１６ａ、１６ｂを抜き出し方向に作動させる駆動カム２４ａ、２４ｂを回転駆動させる駆動シャフト６の負荷が２回に分散されるため駆動シャフトの最大負荷を低減することができる。
【００２１】
以下、図４乃至図８により上記実施例の作動状態を説明する。初期状態では図４に示すようにテーブル５は、回動レバー１２が側片９に形成された凸部１５と係合することによって、テーブル５の先端部に形成されているクリンチャ機構１１がステープル駆動部３の上面４から離反するように時針回り方向に回動された位置に回動されている。作動レバー１９ａ、１９ｂは駆動カム２４ａ、２４ｂによって時針回り方向に回動された位置に保持されており、この作動レバー１９ａ、１９ｂに連係しているロックプレート１６ａ、１６ｂは、フレーム２の長穴１８に沿った左端方向に作動されて前記凸部１５の上方から退避した位置に配置されている。
【００２２】
ステープル駆動部３の上面４とテーブル５の先端のクリンチャ機構１１の間に綴じ用紙が配置され、この綴じ用紙をステープル綴じするためステープラー１が駆動されると、図５に示すように、凸部１５と係合してこの凸部１５を介してテーブル５を時針回り方向に回動した位置に保持していた回動レバー１２が支軸１３を中心として時針回り方向へ回動されて、これによって作動レバー１２が凸部１５から離反してテーブル５は図示していない付勢バネの付勢力によって支軸１０を中心として反時針回り方向に回動して、テーブル５の先端に形成されているクリンチャ機構１１とステープル駆動部３の上面４との間で綴じ用紙を挟持する。上記ステープラー１の駆動によって駆動シャフト６を介して駆動カム２４ａ、２４ｂも回転されるが、この時点までは作動レバー１９ａ、１９ｂの駆動ピン２５が駆動カム２４ａ、２４ｂの大きい半径に形成されているカム面２６ａ、２６ｂと係合しているため、作動レバー１９ａ、１９ｂは反時針回り方向に回動した位置に保持されている。
【００２３】
更に、ステープラー１によるステープル綴じ作動が進行すると、図６に示すように、駆動シャフト６を介して駆動カム２４ａ、２４ｂが更に回転されて、作動レバー１９ａ、１９ｂの駆動ピン２５が駆動カム２４ａ、２４ｂの前記大きい半径のカム面２６ａ、２６ｂから離反して小さい半径のカム面２６ａ、２６ｂと対向され、これによって作動レバー１９ａ、１９ｂはバネ２３の付勢力によってそれぞれ支軸２０を中心として時針回り方向に回動して、これによって、これらの作動レバー１９ａ、１９ｂの上端に連係されているロックプレート１６ａ、１６ｂを長穴１８に沿って図中右方向へスライド作動させて、テーブル５の両側片９に形成されている凸部１５の上方へ進出させる。
【００２４】
このように、フレーム２に形成されている長穴１８に沿って摺動するロックプレート１６ａ、１６ｂがテーブル５の両側片９に形成されている凸部１５の上方に配置されると、長穴１８と凸部１５との間でロックプレート１６ａ、１６ｂが楔の作用によって、フレーム２に対してテーブル５が支軸１０を中心とした時針回り方向への回動を阻止させるように作用する。従って、この状態でステープル駆動部３から綴じ用紙に向けて打ち出されるステープル脚を綴じ用紙の裏面に沿って折り曲げる際のテーブル５に作用するステープル綴じ荷重をロックプレート１６ａ、１６ｂによって保持させることができる。
【００２５】
ステープル駆動部３から打ち出されたステープル脚をクリンチャ機構１１によって綴じ用紙の裏面に沿って折り曲げてステープル綴じが行われた後、図７に示すように、両方の駆動カム２４ａ、２４ｂが駆動シャフト６によって更に回転して、一方の作動レバー１９ａの駆動ピン２５がこの作動レバー１９ａと対向して配置されている一方の駆動カム２４ａのカム面２６ａと係合することによってこの作動レバー１９ａを反時針回り方向へ回動させる。この作動レバー１９ａの回動によって一方のロックプレート１６ａが図中左方向へスライド作動されて凸部１５の上方から退避した位置へ向けて移動される。
【００２６】
なお、この時点では、他方の作動レバー１９ｂの駆動ピン２５はこの作動レバー１９ｂと対向して配置されている他方の駆動カム２４ｂのカム面２６ｂによって時針回り方向に回動された位置に保持されており、従って他方側のロックプレート１６ｂはテーブル５の他方側の側片９に形成されている凸部１５と係合されている。従って、テーブル５は反時針回り方向に回動して綴じ用紙をステープル駆動部３との間で挟持した状態にロックされたままである。
【００２７】
更に駆動シャフト６によって駆動カム２４ａ、２４ｂが回転すると、図８に示すように、他方の作動レバー１９ｂの駆動ピン２５がこの作動レバー１９ｂと対向して配置されている他方の駆動カム２４ｂのカム面２６ｂと係合することによってこの作動レバー１９ｂを反時針回り方向へ回動させる。この作動レバー１９ｂの回動によって他方のロックプレート１６ｂが図中左方向へスライド作動されて凸部１５の上方から退避した位置へ向けて移動される。このように、前述した一方側のロックプレート１６ａに続いて他方側のロックプレート１６ｂもテーブル５の両側片９に形成されている凸部１５の上方から退避作動することによって、テーブル５が支軸１０を中心として時針回り方向へ回動できる状態になる。
【００２８】
更にこの後で、図示していない駆動カムによって回動レバー１２が支軸１３を中心として回動されて、この回動レバー１２がテーブル５の両側片９に形成されている凸部１５と係合して、該凸部１５を介してテーブル５を支軸１０を中心として時針回り方向に回動させて、図４に示すように、テーブル５の先端に形成されているクリンチャ機構１１がステープル駆動部３の上面４から離反した回動位置にテーブル５を保持させて、一連のステープル綴じ作動が完了する。
【図面の簡単な説明】
【００２９】
【図１】本発明のテーブルロック装置を実施したステープラーを示す斜視図
【図２】図１と同じステープラーのテーブルの駆動機構を示す斜視図
【図３】図１のステープラーのテーブルロック装置を示す斜視図
【図４】ステープル綴じ作動を開始する以前の状態のテーブルロック装置の側面図
【図５】テーブルが綴じ用紙を狭持する方向へ作動したテーブルロック装置の側面図
【図６】ロックプレートがテーブルとフレームの間に嵌合してテーブルが閉じ位置にロックされている状態のテーブルロック装置の側面図
【図７】一方側のロックプレートがテーブルとフレームの間から退避作動している状態のテーブルロック装置の側面図
【図８】両方のロックプレートがテーブルとフレームの間から退避位置までスライド作動された状態のテーブルロック装置の側面図
【符号の説明】
【００３０】
１  ステープラー
２  フレーム
３  ステープル駆動部
５  テーブル
６  駆動シャフト
９  側片
１１  クリンチャ機構
１５  凸部（テーブルの両側片）
１６ａ、１６ｂ  ロックプレート
１９ａ、１９ｂ  作動レバー
２４ａ、２４ｂ  駆動カム
２６ａ、２６ｂ  カム面
【図１】
2006095641.tif 000003
【図２】
2006095641.tif 000004
【図３】
2006095641.tif 000005
【図４】
2006095641.tif 000006
【図５】
2006095641.tif 000007
【図６】
2006095641.tif 000008
【図７】
2006095641.tif 000009
【図８】
2006095641.tif 000010